(57)【特許請求の範囲】
【請求項１】
左右一対のフレームに対しつぼローラを所定位置において回転可能に支持するとともに、つぼ台を所定位置において前記つぼローラの軸線と平行な支持軸により退避位置と使用位置との間で往復傾動可能に支持し、前記つぼ台が使用位置に保持された状態で、該つぼ台の底面、前記つぼローラの外周面及びつぼ台の左右両側部に設けた側板の内面によってインキ溜りを形成し、前記つぼ台には前記つぼローラの外周面と該つぼ台の先端縁との間に形成されるインキ供給口に対応してインキ供給量を調整するブレードを装着し、前記つぼ台を前記使用位置にロックするロック機構を設けたインキつぼにおいて、
前記ロック機構を、つぼローラの両端部の軸部に対し相対回動可能にそれぞれ連結した左右一対のロックアームと、この一対のロックアームの先端部と、前記つぼ台の両側面との間にそれぞれ設けた一対の連結機構とにより構成し、前記ロックアームを前記軸部の外周に嵌装されるリング部と、該リング部の外周に連結されたアーム部とにより構成し、前記連結機構は、前記両ロックアームのアーム部に対しそれぞれ上下方向の回動可能に連結された一対のロックレバーと、該両ロックレバーの先端部に設けられた折り曲げ部のネジ孔に螺合された操作つまみを有する一対のロックボルトと、前記つぼ台の左右両側面にそれぞれ設けられ、かつ前記両ロックアームの先端部と前記両ロックボルトの先端部との間でそれぞれ挟着される一対のロックピンとによって構成され、前記両ロックピンは前記両ロックアームの先端部に接触された状態で、つぼ台の使用位置を左右においてそれぞれ微調整することができる偏芯ピンによって構成されていることを特徴とするインキつぼ。
【請求項２】
請求項１において、前記フレームには前記両ロックアームの傾斜角度をそれぞれ一定に保持するためのストッパーが装着され、前記両ロックアームとフレームとの間にはロックアームをストッパーに押圧する方向に付勢するための弾性手段がそれぞれ設けられているインキつぼ。
【請求項３】
請求項２において、前記ロックアームと、前記ロックレバーの基端部との間には、該ロックレバーを開放位置に係止保持するためのレバー係止手段が設けられているインキつぼ。
【発明の詳細な説明】
【技術分野】
【０００１】
本発明は、オフセット印刷機に使用されるインキつぼに関するものである。
【背景技術】
【０００２】
オフセット印刷機においては、図６に示すように、印刷用の紙Ｐに対して、その上方及び下方にそれぞれインキつぼ７７が配置されている。前記インキつぼ７７を構成するつぼローラ７８には複数のローラ７９を介して版胴８０が連結され、両版胴８０に設けられた一対のゴム円筒８１間に印刷用の紙Ｐが供給されるようになっている。そして、つぼローラ７８の回転に伴って、インキつぼ７７内のインキが各ローラ７８，７９の外周面を介して版胴８０に供給され、この版胴８０からゴム円筒８１を介して紙Ｐへ転写されるようになっている。
【０００３】
前記インキつぼ７７は図７に示すように構成されている。このインキつぼ７７について説明すると、左右一対のフレーム１１，１１（紙面直交方向に所定間隔をおいて配置）の間には、つぼローラ７８が所定位置において回転可能に支持されている。このつぼローラ７８の下方に位置するように前記フレーム１１，１１の間には支持軸８２を介してつぼ台８３が使用位置と退避位置との間で往復傾動可能に装着されている。前記フレーム１１，１１には支持軸８４を介してロックボルト８５が装着されている。このロックボルト８５の基端部に一体形成されたリング部８５ａが支持軸８４に回動可能に連結されている。前記ロックボルト８５にはネジ筒８６が螺合されている。
【０００４】
一方、前記つぼ台８３の側面には図８に示すようにロックアーム８７が片持ち固定され、そのロックアーム８７の上端に設けられた凹部８７ａに前記ロックボルト８５の一部が係合されるようになっている。又、前記ロックアーム８７の上端部にはアジャストボルト８８が前記リング部８５ａの外周面に接触するように螺合され、リング部８５ａに対するロックアーム８７の接触位置を微調整することができるようにしている。なお、ビス８９はアジャストボルト８８を所定位置に保持するものである。
【０００５】
前記つぼ台８３の底面の先端縁と対応してブレード９０が設けられ、該ブレード９０とつぼローラ７８の外周面との間に形成された隙間Ｇを調整して、つぼローラ７８の外周面のインキの付着量を調整するようになっている。
【０００６】
そして、前記ロックボルト８５にネジ筒８６を締め付けることによって、ロックアーム８７の先端部をリング部８５ａとネジ筒８６との間で挟着し、前記つぼ台８３を使用位置にロックする。反対に、前記ネジ筒８６を緩めてロックボルト８５及びネジ筒８６を、支持軸８４を中心に上方へ回動すると、前記つぼ台８３のロック状態が解除され、つぼ台８３が図７において支持軸８２を中心に反時計回り方向に回動されて、つぼ台８３が退避位置に切り換えられ、インキつぼの内部の清掃が行われるようになっている。
【発明の開示】
【発明が解決しようとする課題】
【０００７】
従来のインキつぼ７７は、つぼ台８３を使用位置にロックするために、フレーム１１，１１に装着された支持軸８４、ロックボルト８５及びネジ筒８６によってつぼ台８３に取り付けられたロックアーム８７の先端部を挟着するようにしていた。このため、つぼローラ７８の取付位置と無関係なフレーム１１，１１をベースとしてつぼ台８３の使用位置が設定されるので、次のような問題があった。即ち、印刷作業中において、前記つぼローラ７８が回転している間に該つぼローラ７８の回転軸線が偏芯した場合にそれに追従してロックアーム８７の位置を変更することができない。従って、前記つぼローラ７８の外周面とつぼ台８３に設けたブレード９０との間の隙間Ｇがつぼローラ７８の軸線方向に関して変化して、つぼローラ７８の外周面に付着するインキ量にムラが生じて印刷ムラが生じるという問題があった。
【０００８】
この発明の目的は、上記従来の技術に存する間題点を解消して、印刷作業中において、つぼローラが偏芯した場合につぼローラの外周面とつぼ台に設けたブレードとの間の隙間がつぼローラの軸線方向に関して変化するのを無くして、印刷ムラを防止することができるインキつぼを提供することにある。
【課題を解決するための手段】
【０００９】
上記問題点を解決するために、請求項１に記載の発明は、左右一対のフレームに対しつぼローラを所定位置において回転可能に支持するとともに、つぼ台を所定位置において前記つぼローラの軸線と平行な支持軸により退避位置と使用位置との間で往復傾動可能に支持し、前記つぼ台が使用位置に保持された状態で、該つぼ台の底面、前記つぼローラの外周面及びつぼ台の左右両側部に設けた側板の内面によってインキ溜りを形成し、前記つぼ台には前記つぼローラの外周面と該つぼ台の先端縁との間に形成されるインキ供給口に対応してインキ供給量を調整するブレードを装着し、前記つぼ台を前記使用位置にロックするロック機構を設けたインキつぼにおいて、前記ロック機構を、つぼローラの両端部の軸部に対し相対回動可能にそれぞれ連結した左右一対のロックアームと、この一対のロックアームの先端部と、前記つぼ台の両側面との間にそれぞれ設けた一対の連結機構とにより構成し、前記ロックアームを前記軸部の外周に嵌装されるリング部と、該リング部の外周に連結されたアーム部とにより構成し、前記連結機構は、前記両ロックアームのアーム部に対しそれぞれ上下方向の回動可能に連結された一対のロックレバーと、該両ロックレバーの先端部に設けられた折り曲げ部のネジ孔に螺合された操作つまみを有する一対のロックボルトと、前記つぼ台の左右両側面にそれぞれ設けられ、かつ前記両ロックアームの先端部と前記両ロックボルトの先端部との間でそれぞれ挟着される一対のロックピンとによって構成され、前記両ロックピンは前記両ロックアームの先端部に接触された状態で、つぼ台の使用位置を左右においてそれぞれ微調整することができる偏芯ピンによって構成されていることを要旨とする。
【００１２】
請求項２に記載の発明は、請求項１において、前記フレームには前記両ロックアームの傾斜角度をそれぞれ一定に保持するためのストッパーが装着され、前記両ロックアームとフレームとの間にはロックアームをストッパーに押圧する方向に付勢するための弾性手段がそれぞれ設けられていることを要旨とする。
【００１３】
請求項３に記載の発明は、請求項２において、前記ロックアームと、前記ロックレバーの基端部との間には、該ロックレバーを開放位置に係止保持するためのレバー係止手段が設けられていることを要旨とする。
【発明の効果】
【００２２】
請求項１〜３のいずれか一項に記載の発明は、印刷作業中において、フレームに対するつぼローラの中心軸線が微妙に傾斜して偏芯しても、そのつぼローラの偏芯に追従してロックアーム及び連結機構が移動し、つぼ台を移動することができる。このため、前記つぼローラの外周面とつぼ台に設けたブレードとの隙間を、つぼローラの軸線方向に関してどの部位も適正な一定間隔に保持し、印刷ムラを無くすことができる。
【発明を実施するための最良の形態】
【００２４】
以下、この発明を具体化した一実施形態を図１〜図５に基づいて説明する。
印刷機の側断面を表す図１，２，４に示すように左右一対のフレーム１１( 図１，２，４では紙面と直交する方向の紙面奥側のフレーム１１のみ図示) の間にはインキつぼ１２が装着されている。前記インキつぼ１２を構成するつぼローラ１３は前記フレーム１１，１１間の所定位置において回転可能に支持されている。前記つぼローラ１３に近接して、つぼ台１４がフレーム１１に支持した支持軸１５及び軸受部１６により上下方向の傾動可能に装着されている。前記つぼ台１４の左右両側部には側板１７( 図１，２において、紙面手前側のみ、図４において紙面奥側のみ図示) がボルトにより固着されている。前記つぼ台１４の上面１４ａと、つぼローラ１３の外周面１３ａと、さらに前記一対の側板１７の内側面とにより形成される凹状空間をインキ溜め１９としている。側板１７の前端部に形成した弧状シール面１７ａをつぼローラ１３の外周面１３ａに摺接するようにしている。そして、インキ溜め１９内のインキがつぼ台１４の上面１４ａの前端縁と、つぼローラ１３の外周面１３ａとの間に形成されるインキ送り出し口２０からインキがつぼローラ１３の外周面１３ａに付着されて下方に導かれるようになっている。
【００２５】
図４に示すように、前記つぼ台１４の前端部には前記インキ送り出し口２０を塞ぐようにして隙間Ｇを形成し、つぼローラ１３の外周面１３ａに付着されるインキの量を調整するためのブレード２１が装着されている。このブレード２１には複数箇所に貫通孔２１ａが形成されている。前記つぼ台１４には取付台１４ｂが一体形成されている。この取付台１４ｂに対し複数箇所に形成したネジ孔１４ｃに対しブレード２１に形成した前記貫通孔２１ａからボルト２２を貫通して、各ボルト２２を螺合することによりブレード２１を所定位置に取り付けている。
【００２６】
前記ブレード２１は、複数（この実施形態では図示しないが１６箇所）のブレード素子２１ｂを備えている。各ブレード素子２１ｂは複数のスリット（図示略）をブレード２１の上端面から下端部付近まで形成することにより分離されることなく基端連結部２１ｄに一体的に形成されている。前記各ブレード素子２１ｂの基端部には薄肉状のヒンジ部２１ｅがそれぞれ形成され、該ヒンジ部２１ｅにより各ブレード素子２１ｂが外力によって弾性変形し得るようにしている。前記各ブレード素子２１ｂのエッジ部２１ｆは前記つぼローラ１３の外周面１３ａに接近して前記隙間Ｇを形成する。
【００２７】
前記つぼ台１４の上面１４ａには底板２３が支持されている。この底板２３はビス２４により前記上面１４ａに固定されている。底板２３のつぼローラ１３側の先端部は上下方向の弾性変形可能に薄く切削されたシールプレート部２３ａとなっている。このシールプレート部２３ａの先端縁がブレード２１の上端面に弾性的に押圧接触され、ブレード２１と底板２３との間のシールを行い、インキがブレード２１の裏側に侵入しないようにしている。前記ブレード２１のブレード素子２１ｂの背面には、ブラケット２５が溶接あるいはボルトにより固定されている。このブラケット２５には割りピン２６を介してプッシュプルロッド２７の先端部が連結されている。前記プッシュプルロッド２７は、カム方式の位置調節機構２８により前進又は後退され、ブレード２１を前進又は後退させて、該ブレード２１とつぼローラ１３の外周面１３ａとの隙間Ｇの調整を行うようになっている。
【００２８】
次に、前記つぼ台１４を図２に示す退避位置から図１に示す印刷作業が可能な使用位置に移動した状態でロックするようにしたロック機構３０について説明する。このロック機構３０はインキつぼの平面を表す図３に示すように、左右対称に構成されているので、図３の右側のロック機構３０について説明する。
【００２９】
前記つぼローラ１３の左右両端部寄りに形成された一対の軸部１３ｂ，１３ｂのうち右側の軸部１３ｂには、ロックアーム３１を構成するリング部３１ａが該軸部１３ｂに対し相対回動可能に支持されている。前記ロックアーム３１の上方から見て二又状をなすアーム部３１ｂにはロックレバー３２が連結ピン３３によって上下方向の相対回動可能に連結されている。図１に示すように前記ロックレバー３２の先端部に下向きに一体形成された折り曲げ部３２ａに形成されたネジ孔３２ｂには、操作つまみ３４ａを有するロックボルト３４が螺合されている。該ロックボルト３４は鋼材により形成され、その先端部は高周波焼き入れされている。前記ロックアーム３１の先端部には鋼材よりなるボルト３５が螺合され、その頭部３５ａの上面は高周波焼き入れされている。
【００３０】
前記フレーム１１の内側面には、前記ロックアーム３１を所定の傾斜位置に保持するための保持機構が設けられている。図５に示すように、前記フレーム１１の内側面にはブラケット３６がボルトによって固定され、ブラケット３６の先端部に形成されたネジ孔３６ａ（図１参照）にはストッパー３７の基端部に形成された雄ネジ３７ａが螺合されている。このストッパー３７の先端部によって前記ロックアーム３１のアーム部３１ｂの下面が支持され、前記ロックアーム３１が図１及び図２において軸部１３ｂを中心として反時計回り方向へ回動する位置を規制するようにしている。
【００３１】
前記ブラケット３６の先端部にはボルトよりなるバネ受け３８が螺合され、アーム部３１ｂの先端部下面にもボルトよりなるバネ受け３９が螺合されている。前記バネ受け３８とバネ受け３９の先端部には弾性手段としてのコイルバネ４０が掛止され、常には前記ロックアーム３１のアーム部３１ｂが前記ストッパー３７の上端面に押圧されるようになっている。
【００３２】
図５に示すように、前記ロックアーム３１のアーム部３１ｂには、ビス４１が螺合され、その先端部にはバネ４２を介して、鋼球よりなる係止ボール４３が前記ロックレバー３２の側面に向かって押圧されている。そして、ロックレバー３２が連結ピン３３を中心に図１に示すロック位置から図２に示すように上方に回動されて、ロックレバー３２に形成された係止凹部３２ｃ（図５参照）に係止ボール４３が係止されると、ロックレバー３２が非ロック位置に係止されるようにしている。この実施形態では、前記ビス４１、バネ４２、係止ボール４３及び係止凹部３２ｃによりロックレバー３２を開放位置に係止するレバー係止手段Ｋ１を構成している。
【００３３】
前記つぼ台１４の側面にはロックピン４５が装着されている。このロックピン４５はボルト４６によって常にはつぼ台１４の所定位置に締付固定されている。前記ロックピン４５は前記つぼ台１４の側面に形成された取付穴１４ｅに嵌入される円筒状の軸部４５ａと、軸部４５ａの一端部に一体に形成されたフランジ部４５ｂと、このフランジ部４５ｂの外側面に一体に形成された偏芯ピン４５ｃとによって構成されている。前記ロックピン４５の中心部には前記ボルト４６を貫通する挿通穴４５ｄが形成されている。さらに、前記フランジ部４５ｂの外周面にはその円周方向に所定のピッチでドライバー等の回動操作部材を係合する係合穴４５ｅが数カ所に形成されている。
【００３４】
前記ロックピン４５の偏芯ピン４５ｃは、つぼ台１４が図１に示すように使用位置に切り換え保持された状態で、ロックアーム３１のアーム部３１ｂに螺合したボルト３５の頭部３５ａの上面に接触されるように配設されている。そして、前記ボルト４６を緩めた状態でフランジ部４５ｂの係合穴４５ｅに例えばドライバーなどの先端部を係合してロックピン４５を回動することにより、前記偏芯ピン４５ｃの位相角を変更する。そして、つぼ台１４が正規の使用位置に保持された状態で、偏芯ピン４５ｃが頭部３５ａの上面に接触されるように調整可能となっている。この頭部３５ａの上面に対し偏芯ピン４５ｃの外周面を接触した状態で、前記ロックボルト３４の操作つまみ３４ａを回動してロックボルト３４の先端面と頭部３５ａの上面との間で、偏芯ピン４５ｃをクランプすることにより、つぼ台１４を所定の位置にロックするようにしている。
【００３５】
この実施形態では、前記ロックレバー３２、ロックボルト３４及びロックピン４５等によりロックアーム３１とつぼ台１４を連結するための連結機構Ｋ２を構成している。
前記フレーム１１の内側面の所定位置にはストッパー４７が片持ち支持されている。このストッパー４７と対応するように前記つぼ台１４の側面にはブラケット４８がボルト４９によって取り付けられている。前記ブラケット４８には位置規制部材５０が取り付けられ、この位置規制部材５０が前記ストッパー４７の上面に当接されると、前記つぼ台１４が開放された退避位置に保持される。
【００３６】
前記支持軸１５の外周面には図示しないがコイル状のバネが巻装され、そのバネの一端が該支持軸１５にカラーを介して係止され、他端が前記つぼ台１４の外側面に係止されている。そして、前記つぼ台１４が常には前記ローラ１３の外周面に対し側板１７の弧状シール面１７ａが接触された使用位置に向かって押圧されるように付勢されている。
【００３７】
次に、前記のように構成したインキつぼについて、その動作を説明する。
図４において、位置調節機構２８が作動されると、プッシュプルロッド２７が前進され、ブレード２１が弾性変形されながら押動される。そして、ブレード２１のエッジ部２１ｆをつぼローラ１３の外周面１３ａに向かって移動し、０．００５ｍｍの厚さゲージ（図示略）を用いて、ブレード２１とつぼローラ１３の隙間Ｇを０．００５ｍｍに設定する。
【００３８】
印刷時においては、つぼローラ１３が図１の反時計回り方向に回転され、インキ送り出し口２０において、インキ溜まり１９内のインキがつぼローラ１３の外周面１３ａに薄膜状に付着され、図示しない練りローラを介して版胴へ供給される。そして、この版胴からゴム円筒を介して紙ヘインキが転写されることにより印刷が行われる。
【００３９】
印刷作業が終了した後、インキの色変え作業を行う場合には、つぼ台１４のインキ溜まり１９の内部の残留インキの清掃作業が行われる。この場合には、前記ロック機構３０のロック状態が次のようにして解除される。図１において、前記ロックボルト３４が反時計回り方向に回動されると、ロックボルト３４の先端面がロックピン４５の偏芯ピン４５ｃの外周面から離隔される。その後、ロックボルト３４を上方へ持ち上げて、ロックレバー３２を連結ピン３３を中心に上方に回動する。すると、ロックレバー３２の係止凹部３２ｃが係止ボール４３と対応する位置に移動されて、係止凹部３２ｃに係止ボール４３が係止され、ロックレバー３２が非クランプ（開放）位置に保持される。これによって、前記ロックピン４５の偏芯ピン４５ｃのロック状態が解除されるので、前記つぼ台１４が前記支持軸１５を中心に図示しないコイルバネの付勢力に抗して反時計回り方向に回動可能な状態となる。この状態で、前記つぼ台１４を上記コイルバネの弾性力に抗して前記支持軸１５を中心に反時計回り方向に回動し、側板１７の弧状シール面１７ａをローラ１３の外周面１３ａの外周面から離隔させる。そして、図２に示すように位置規制部材５０をストッパー４７に当接し、つぼ台１４を退避位置に切り換え保持する。この状態で、前記インキ溜まり１９の内面に付着した残留インキを清掃により除去する。
【００４０】
前記インキ溜まり１９の内部の残留インキの清掃作業が終了した後、図２において、つぼ台１４を前記支持軸１５を中心にコイルバネの蓄勢力により時計回り方向に回動すると、前記側板１７の弧状シール面１７ａが、ローラ１３の外周面１３ａの外周面に接触される。又、ブレード２１のエッジ部２１ｆがつぼローラ１３の外周面１３ａに微小隙間Ｇをもって接近される。
【００４１】
上記のつぼ台１４の回動動作に連動して、つぼ台１４の側面に装着されていたロックピン４５の偏芯ピン４５ｃがボルト３５の頭部３５ａに接触される。この状態で、前記ロックレバー３２を連結ピン３３を中心に反時計回り方向に回動し、前記ロックボルト３４を前記ロックピン４５の偏芯ピン４５ｃの外周面と対応する位置に移動する。その後、つまみ３４ａを操作して前記ロックボルト３４を時計回り方向に回動して、その先端面を前記偏芯ピン４５ｃの外周面に押圧する。これによって前記偏芯ピン４５ｃがボルト３５の頭部３５ａとロックボルト３４の先端面との間でクランプされるので、図１に示すようにロックピン４５が所定位置にロックされる。
【００４２】
次に、前記のように構成したインキつぼについて、その効果を構成とともに列記する。
（１）前記実施形態では、前記フレーム１１に対し前記つぼ台１４をロックする前記ロック機構３０を、前記つぼローラ１３の軸部１３ｂに嵌合されたロックアーム３１と、このロックアーム３１に対し連結ピン３３によって回動可能に支持されたロックレバー３２と、このロックレバー３２の先端部に螺合されたロックボルト３４と、前記つぼ台１４の側面に装着されたロックピン４５とによって構成した。このため、前記つぼローラ１３の軸部１３ｂを基準として、ボルト３５の頭部３５ａの垂直面内での座標を設定することができ、前記頭部３５ａに接触されるロックピン４５の偏芯ピン４５ｃの垂直面内での座標も適正座標に設定することができる。この結果、印刷作業中において、前記フレーム１１に対する前記つぼローラ１３の中心軸線が微妙に傾斜して偏芯したとしても、前記つぼローラ１３の偏芯に追従してロックアーム３１及びロックピン４５が移動し、前記つぼ台１４及びブレード２１を移動することができる。このため、つぼローラ１３の外周面とブレード２１との前記隙間Ｇをつぼローラの軸線方向に関してどの部位も適正な一定隙間に保持し、印刷ムラを無くすことができる。
【００４３】
（２）前記実施形態では、前記ロックアーム３１のアーム部３１ｂ及びボルト３５を、前記ブラケット３６、ストッパー３７、バネ受け３８及びコイルバネ４０によって所定の傾斜位置に保持するようにした。このため、前記ボルト３５の頭部３５ａが所定位置に保持され、前記頭部３５ａにつぼ台１４側のロックピン４５の偏芯ピン４５ｃを接触させる動作及び離隔させる動作を容易に行うことができる。
【００４４】
（３）前記実施形態では、前記つぼ台１４の側面に設けられたロックピン４５に偏芯ピン４５ｃを設け、前記ロックアーム３１に取り付けたボルト３５の頭部３５ａにロックピン４５の偏芯ピン４５ｃの外周面を接触するようにした。このため、ボルト４６を緩めてロックピン４５を回動することによりつぼ台１４の使用位置の調整、つまり前記隙間Ｇの設定を容易に行うことができる。
【００４５】
（４）前記実施形態では、前記アーム部３１ｂに対しボルト３５を螺合し、ボルト３５の頭部３５ａを高周波焼き入れによって硬度を高めるようにしたので、ロックピン４５の偏芯ピン４５ｃが繰り返し接触されても、頭部３５ａの摩耗を抑制して耐久性を高めることができる。
【００７３】
なお、前記実施形態は以下のように変更して具体化することもできる。
【００７４】
・  ロックアーム３１を傾斜位置に保持する機構をフレームに支持した位置規制部材のみによって行うようにしてもよい。
【図面の簡単な説明】
【００７７】
【図１】この発明を具体化した一実施形態を示すインキつぼの側断面図。
【図２】つぼ台を開放した状態の側断面図。
【図３】インキつぼの平面図。
【図４】インキつぼの断面図。
【図５】要部の拡大断面図。
【図６】印刷機の概略構成を示す説明図。
【図７】従来のインキつぼの使用状態を示す断面図。
【図８】従来のインキつぼの部分断面図。
【符号の説明】
【００７８】
Ｋ１…レバー係止手段、Ｋ２，Ｋ４…連結機構、Ｋ３…アーム係止手段、Ｋ５…ロック位置保持機構、１１…フレーム、１３…ローラ、１３ａ…外周面、１３ｂ，４５ａ…軸部、１４…つぼ台、３１ｅ，３２ｂ…ネジ孔、１４ｅ，５１ａ…取付穴、１７…側板、２１…ブレード、３５…ボルト、３６…ブラケット、３０…ロック機構、３１…ロックアーム、３１ｃ…嵌入穴、３１ｄ…嵌合凹部、３２…ロックレバー、３２ａ…折り曲げ部、３４…ロックボルト、３７…ストッパー、４５…ロックピン、４５ｃ…偏芯ピン、５９…位置規制部材、５１…連結アーム、５７…被位置規制部材としてのボルト、６３…固定ロックアーム、６５…可動ロックアーム、６８…操作レバー。
【図１】
0004053513.tif 000002
【図２】
0004053513.tif 000003
【図３】
0004053513.tif 000004
【図４】
0004053513.tif 000005
【図５】
0004053513.tif 000006
【図６】
0004053513.tif 000007
【図７】
0004053513.tif 000008
【図８】
0004053513.tif 000009